(57)【要約】【課題】  装置本体を大型化することなく、撮像素子等の電子部品から発せられる熱を外気へと効率よく放出することができる撮像装置を提供する。【解決手段】  被写体からの光を撮像する撮像素子１８を収容する筐体と、前記筐体に対して開閉可能な可動部と、前記撮像素子及びその近傍の少なくとも一方の温度を検出する温度検出部５６と、前記温度検出部による検出結果に基づいて、前記可動部を開くべきか否かを判別する判別部５０と、前記判別部による判別結果に基づいて、前記可動部の開閉に係る処理を制御する制御部５０とを備える。【選択図】  図５
2012037791.tif 000002
【特許請求の範囲】
【請求項１】
被写体からの光を撮像する撮像素子を収容する筐体と、
前記筐体に対して開閉可能な可動部と、
前記撮像素子及びその近傍の少なくとも一方の温度を検出する温度検出部と、
前記温度検出部による検出結果に基づいて、前記可動部を開くべきか否かを判別する判別部と、
前記判別部による判別結果に基づいて、前記可動部の開閉に係る処理を制御する制御部と、
を備えることを特徴とする撮像装置。
【請求項２】
前記可動部は、前記筐体の上面に収納可能に設けられる照明部、または前記筐体の背面に収納可能に設けられる表示部を備えることを特徴とする請求項１記載の撮像装置。
【請求項３】
前記判別部により前記可動部を開くべきであると判別された場合には、前記制御部は、前記可動部を開くことを特徴とする請求項１または請求項２記載の撮像装置。
【請求項４】
前記判別部により前記可動部を開くべきであると判別された場合には、前記制御部は、前記可動部を開くべき旨を報知することを特徴とする請求項１または請求項２記載の撮像装置。
【請求項５】
前記温度検出部により第１温度まで上昇したと検出されたとき、前記判別部は、前記照明部を備える前記可動部、または前記表示部を備える前記可動部を開くべきであると判別し、
前記温度検出部により前記第１温度より高い第２温度まで上昇したと検出されたとき、前記判別部は、前記照明部を備える前記可動部、及び前記表示部を備える前記可動部を開くべきであると判別することを特徴とする請求項２〜請求項４の何れか一項に記載の撮像装置。
【請求項６】
前記可動部が前記照明部を備える場合であって、
前記制御部は、前記照明部を備えた前記可動部を開いた際に、前記照明部による発光動作を禁止することを特徴とする請求項２〜請求項５の何れか一項に記載の撮像装置。
【請求項７】
前記可動部が前記表示部を備える場合であって、
前記制御部は、前記表示部を備えた前記可動部を開いた際に、前記表示部による表示動作を停止することを特徴とする請求項２〜請求項５の何れか一項に記載の撮像装置。
【請求項８】
前記撮像素子からの撮像信号に対して画像処理を行う画像処理部を備え、
前記判別部により前記可動部を開くべきであると判別された場合には、前記制御部は、前記開閉に係る処理と共に、前記撮像素子及び前記画像処理部の少なくとも一方の処理負荷を低減することを特徴とすることを特徴とする請求項１〜請求項７の何れか一項に記載の撮像装置。
【請求項９】
前記判別部は、動画像撮影時及び電源オフの際の少なくとも一方において、前記可動部を開くべきか否かを判別することを特徴とする請求項１〜請求項８の何れか一項に記載の撮像装置。
【発明の詳細な説明】
【技術分野】
【０００１】
本発明は、動画像撮影可能な撮像装置に関するものである。
【背景技術】
【０００２】
電子カメラの操作者がグリップ部を手で保持して撮影操作を行う際に、手で塞いでしまうことがなく、かつ操作者の撮影操作性を損なうことがない位置であって、カメラ本体の外表面に吸気孔、排気孔、及び空冷ファンを設け、撮像素子に対して発熱源となる駆動回路基板を通る空気流を発生させて駆動回路基板を強制空冷する電子カメラが提案されている（例えば、特許文献１参照）。
【先行技術文献】
【特許文献】
【０００３】
【特許文献１】特開２００９−３３７１８号公報
【発明の概要】
【発明が解決しようとする課題】
【０００４】
近年、電子カメラを構成する電子部品の小型化及び高性能化により電子部品単体の発熱量が増加している。更に、発熱量が多いハイビジョンやフルハイビジョンの動画像撮影可能な電子カメラが増加している。従来、これら電子カメラに対しては、電子部品から電子カメラの筐体外観面へ熱伝導させ、筐体外観面から外気へと熱を放出させる放熱対策がなされていた。しかしながら、電子カメラの小型化に伴い、筐体外観面の表面積が小さくなり、熱を外気へと効率よく放出させることができず、電子部品の仕様限界温度を超える前に、動画像撮影中であっても動画像撮影を終了せざるを得ない場合があった。
【０００５】
また、上述の特許文献１記載の撮像装置では、電子カメラの筐体内に空冷ファンが設けられているが、筐体内に空冷ファンを設けるためのスペースを確保する必要があり、電子カメラが大型化するという問題があった。
【０００６】
本発明の目的は、装置本体を大型化することなく、撮像素子等の電子部品から発せられる熱を外気へと効率よく放出することができる撮像装置を提供することである。
【課題を解決するための手段】
【０００７】
本発明は以下のような解決手段により上記課題を解決する。なお、理解を容易にするために、本発明の実施の形態に対応する符号を付して説明するが、本発明はこれに限定されるものではない。
【０００８】
本発明の撮像装置は、被写体からの光を撮像する撮像素子（１８）を収容する筐体（４）４と、前記筐体（４）に対して開閉可能な可動部（１６，３６）と、前記撮像素子（１８）及びその近傍の少なくとも一方の温度を検出する温度検出部（５６）と、前記温度検出部（５６）による検出結果に基づいて、前記可動部（１６，３６）を開くべきか否かを判別する判別部（５０）と、前記判別部（５０）による判別結果に基づいて、前記可動部（１６，３６）の開閉に係る処理を制御する制御部（５０）とを備える。
【発明の効果】
【０００９】
本発明の撮像装置によれば、装置本体を大型化することなく、撮像素子等の電子部品から発せられる熱を外気へと効率よく放出することができる。
【図面の簡単な説明】
【００１０】
【図１】実施の形態に係る電子カメラの外観を示す正面斜視図である。
【図２】実施の形態に係る電子カメラを構成するカメラ筐体内部及びフラッシュ筐体内部の構成を示す断面図である。
【図３】実施の形態に係る電子カメラの外観を示す背面斜視図である。
【図４】実施の形態に係る電子カメラを構成するカメラ筐体とパネル筐体とを繋ぐ部材の構成を示す図である。
【図５】実施の形態に係る電子カメラのシステム構成を示すブロック図である。
【図６】実施の形態に係る電子カメラにおいて動画像撮影モードに移行した際の処理について説明するためのフローチャートである。
【図７】動画像撮影中における電子カメラを構成する電子部品の温度と時間の関係を説明するためのグラフである。
【発明を実施するための形態】
【００１１】
以下、図面を参照して、本発明の実施の形態に係る撮像装置としての電子カメラについて説明する。図１は、実施の形態に係る電子カメラ２の外観を示す正面斜視図であり、図１（ａ）は内蔵フラッシュ１２を収納している状態を示す図、図１（ｂ）は内蔵フラッシュ１２を上げている状態を示す図である。図１に示すように、電子カメラ２は、後述する撮像素子１８等（図２参照）を収容するカメラ筐体４を備えている。カメラ筐体４の正面中央部には、レンズマウント部（図示せず）に対して着脱可能なレンズユニット６が装着されている。レンズユニット６内には撮影レンズ６ａ（図２参照）が収容されており、撮影レンズ６ａは被写体からの光をカメラ筐体４内の撮像素子１８（図２参照）に導く。また、カメラ筐体４の上面には、静止画像や動画像の撮影を指示する際に操作されるレリーズボタン８、動画像を撮影する際に設定される動画像撮影モードや静止画像を撮影する際に設定される静止画像撮影モード等の撮影モードを切り換える際に操作される撮影モードダイヤル１０が設けられている。
【００１２】
また、カメラ筐体４の上面中央部には、被写体を撮像する際に、必要に応じて被写体を照明するための内蔵フラッシュ１２を有するフラッシュ筐体１４が設けられている。フラッシュ筐体１４は、カメラ筐体４に対して開閉可能かつ収納可能な可動部１６を有している。可動部１６は、内蔵フラッシュ１２を挟持する２つのアーム１６ａ，１６ｂを備えており、内蔵フラッシュ１２を挟持していない端部を軸としてアーム１６ａ，１６ｂを自動または手動で回動させることにより、内蔵フラッシュ１２を収納している状態（閉じている状態、図１（ａ）に示す状態）から上げている状態（開いている状態、図１（ｂ）に示す状態）に、上げている状態（開いている状態）から収納している状態（閉じている状態）に移動する。また、可動部１６（アーム１６ａ，１６ｂ）を含むフラッシュ筐体１４は、カメラ筐体４内に収容されている電子部品（例えば、撮像素子１８やＡＳＩＣ２４等、図２参照）から発せられる熱を外気へと放出する機能を有している。
【００１３】
図２は、電子カメラ２を構成するカメラ筐体４内部及びフラッシュ筐体１４内部の構成を示す断面図である。図２に示すように、撮像素子１８から発せられた熱は、固定板２０等を介してカメラ筐体４に伝導され、カメラ筐体４から、カメラ筐体４にフラッシュ筐体１４を固定するビス２２ａ，２２ｂ等を介してフラッシュ筐体１４、ひいては可動部１６に伝導される。また、図２に示すように、ＡＳＩＣ２４から発せられた熱は、放熱シート２６、放熱板２８等を介してカメラ筐体４に伝導され、カメラ筐体４からビス２２ａ，２２ｂ等を介してフラッシュ筐体１４、ひいては可動部１６に伝導される。なお、カメラ筐体４、フラッシュ筐体１４、固定板２０、ビス２２ａ，２２ｂ、放熱シート２６、放熱板２８等の伝熱材として機能するものは、熱伝導性の良い材料（例えば、アルミ、銅、ステンレス鋼、その他金属部材、ポリカーボネート等）により構成されている。
【００１４】
図３は、実施の形態に係る電子カメラ２の外観を示す背面斜視図であり、図３（ａ）は液晶パネル３４を収納している状態を示す図、図３（ｂ）は液晶パネル３４を開いている状態を示す図である。図３に示すように、カメラ筐体４の背面右部には、メニュー項目等の選択や様々な設定時に操作されるマルチセレクタ３０が設けられており、カメラ筐体４の上部であってフラッシュ筐体１４の背面には、被写体像を接眼した状態で視認するファインダ３２が設けられている。
【００１５】
また、カメラ筐体４の背面中央部には、撮像素子１８からの撮像信号に基づくスルー画像、後述する記録媒体５２（図５参照）に記録されている画像データに基づく静止画像や動画像、及び撮影に関する情報等を表示する液晶パネル３４を有するパネル筐体３６が設けられている。パネル筐体３６（液晶パネル３４）は、カメラ筐体４に対して開閉可能かつ収納可能に構成されている。即ち、パネル筐体３６は、パネル筐体３６をカメラ筐体４の左右方向を軸として回動可能な回動部３８を備えており、回動部３８を手動で回動させることにより、パネル筐体３６（液晶パネル３４）を収納している状態（閉じている状態、図３（ａ）に示す状態）から開いている状態（図３（ｂ）に示す状態）に、開いている状態から収納している状態（閉じている状態）に移動する。
【００１６】
また、回動部３８を含むパネル筐体３６は、カメラ筐体４内に収容されている電子部品（例えば、撮像素子１８やＡＳＩＣ２４等）から発せられる熱を外気へと放出する機能を有している。なお、パネル筐体３６は、パネル筐体３６が開いている状態のとき、カメラ筐体４の上下方向を軸として回動可能に構成されており、図３（ｂ）に示す状態のとき、パネル筐体３６をカメラ筐体４の上下方向を軸として１８０度回動させた後、更にパネル筐体３６をカメラ筐体４の左右方向を軸として回動させ収納した状態で、液晶パネル３４を視認することもできる。
【００１７】
図４は、電子カメラ２を構成するカメラ筐体４とパネル筐体３６とを繋ぐ部材の構成を示す図である。撮像素子１８やＡＳＩＣ２４から発せられた熱は、放熱板等を介して、筐体４内部に設けられている板金４０（図４）に伝導され、板金４０から、回動部３８内部に設けられている軸４２（図４）に伝導され、軸４２から、軸４２にＥリング等で固定されているパネル筐体３６に伝導される。なお、パネル筐体３６、板金４０、軸４２等の伝熱材として機能するものは、熱伝導性の良い材料（例えば、アルミ、銅、ステンレス鋼、その他金属部材、ポリカーボネート等）により構成されている。
【００１８】
図５は、実施の形態に係る電子カメラ２のシステム構成を示すブロック図である。図５に示すように、電子カメラ２は、マイクロプロセッサ等により構成され、電子カメラ２の各部を統括的に制御する制御部５０を備えている。制御部５０には、レリーズボタン８、撮影モードダイヤル１０、内蔵フラッシュ１２、撮像素子１８、ＡＳＩＣ２４、マルチセレクタ３０、ファインダ３２、液晶パネル３４、記録媒体５２、アーム駆動部５４、及び温度検出部５６が接続されている。
【００１９】
制御部５０は、撮影モードダイヤル１０により設定されている撮影モード、及びレリーズボタン８の操作に応じて、静止画像や動画像を撮影するための撮影準備や撮影を実行する。撮像素子１８は、ＣＣＤまたはＣＭＯＳ等により構成され、撮影レンズ６ａを介した被写体からの光を撮像して撮像信号を制御部５０に対して出力する。ＡＳＩＣ２４は、撮像素子２８からの撮像信号に対して各種の画像処理を施し、画像データを生成する。記録媒体５２は、電子カメラ２に設けられたカードスロット（図示せず）に着脱可能に装着される可搬性を有する記録媒体であり、例えば、ＣＦカード、ＳＤカード、スマートメディア等が用いられる。記録媒体５２には、ＡＳＩＣ２４において生成された画像データ等が記録される。アーム駆動部５４は、制御部５０からの制御信号に従い、可動部１６（アーム１６ａ，１６ｂ）を駆動させる。温度検出部５６は、撮像素子１８の近傍に配置されており、撮像素子１８及びその近傍の少なくとも一方の温度を検出し、制御部５０に対して出力する。
【００２０】
この実施の形態では、制御部５０は、動画像撮影モードに移行すると、温度検出部５６による検出結果に基づいて、可動部１６やパネル筐体３６を開くべきか否かを判別し、判決結果に基づいて可動部１６やパネル筐体３６の開閉に係る処理を制御する。具体的には、温度検出部５６により予め設定されている第１温度まで上昇したと検出された場合には、可動部１６を開くべきであると判別し、温度検出部５６により予め設定されている第１温度より高い第２温度まで上昇したと検出された場合には、パネル筐体３６を開くべきであると判別する。以下、図６に示すフローチャートを参照して、この実施の形態に係る電子カメラ２において動画像撮影モードに移行した際の処理について説明する。
【００２１】
まず、制御部５０は、ユーザーにより撮影モードダイヤル１０が操作され、動画像撮影モードに設定されると、動画像として撮影される際の動画像の解像度を取得し、取得結果に基づいて第１温度、及び第１温度より高い第２温度を設定する（ステップＳ１０）。
【００２２】
例えば解像度１０８０ｉで撮影される場合等、高解像度で撮影される場合には、図７のグラフＡに示すように、撮像素子１８の温度が急激に上昇することが予想される。したがって、撮像素子１８の温度がＴｍａｘに達しないよう早めに放熱対策を施すために、例えば低解像度で撮影される場合より低い温度である温度Ｔ１を第１温度に、温度Ｔ４を第２温度に設定する。なお、温度Ｔｍａｘは限界温度であり、動画像撮影中であって温度Ｔｍａｘに達した場合には、制御部５０は、動画像撮影を強制的に終了する。
【００２３】
また、例えば解像度７２０ｐで撮影される場合等、高解像度でない解像度で撮影される場合には、図７のグラフＢに示すように、撮像素子１８の温度が上昇することが予想される。したがって、撮像素子１８の温度がＴｍａｘに達しないよう放熱対策を施すために、例えば高解像度で撮影される場合より低い温度で、かつ低解像度で撮影される場合より高い温度である温度Ｔ２を第１温度に、温度Ｔ５を第２温度に設定する。
【００２４】
また、例えば低解像度で撮影される場合には、図７のグラフＣに示すように、撮像素子１８の温度が緩やかに上昇することが予想される。したがって、撮像素子１８の温度がＴｍａｘに達しないよう放熱対策を施すために、例えば高解像度で撮影される場合より高い温度である温度Ｔ３を第１温度に、温度Ｔ６を第２温度に設定する。
【００２５】
次に、制御部５０は、温度検出部５６により第１温度まで上昇したと検出されたか否かを判別する（ステップＳ１１）。ステップＳ１１において第１温度まで上昇したと検出された場合には（ステップＳ１１、Ｙｅｓ）、制御部５０は、可動部１６が収納されているか否かを判別する（ステップＳ１２）。ステップＳ１２において可動部１６が収納されていると判別された場合（ステップＳ１２、Ｙｅｓ）、即ち可動部１６が図１（ｂ）に示す状態でなく図１（ａ）に示す状態である場合には、制御部５０は、アーム駆動部５４を介して可動部１６をポップアップさせる（ステップＳ１３）。
【００２６】
具体的には、制御部５０は、アーム駆動部５４に対して制御信号を出力し、アーム駆動部５４は、制御部５０からの制御信号に従い、可動部１６のアーム１６ａ，１６ｂを回動させ、可動部１６（内蔵フラッシュ１２）を収納している状態（閉じている状態、図１（ａ）に示す状態）から上げている状態（開いている状態、図１（ｂ）に示す状態）に移動させる。このように可動部１６をポップアップさせることによりフラッシュ筐体１４の外観表面積を増大させることができ、その結果、放熱効率を上げることができる。なお、ステップＳ１３において可動部１６をポップアップさせる前に、内蔵フラッシュ１２の発光動作のためでなく、放熱のために可動部１６をポップアップする旨のメッセージ（例えば、「放熱のために内蔵フラッシュを上げます。内蔵フラッシュが発光することはありません。」等のメッセージ）を、液晶パネル３４に表示することもできる。また、可動部１６をポップアップさせる際、内蔵フラッシュ１２の発光による電子カメラ２の温度上昇を防止するために、内蔵フラッシュ１２の発光動作を禁止する構成にすることもできる。
【００２７】
一方、ステップＳ１２において可動部１６が収納されていると判別された場合（ステップＳ１２、Ｎｏ）、即ち可動部１６が図１（ａ）に示す状態でなく図１（ｂ）に示す状態である場合には、制御部５０は、ステップＳ１４の処理に移行する。
【００２８】
次に、制御部５０は、温度検出部５６により第２温度まで上昇したと検出されたか否かを判別する（ステップＳ１４）。ステップＳ１４において第２温度まで上昇したと検出された場合には（ステップＳ１４、Ｙｅｓ）、制御部５０は、パネル筐体３６が収納されているか否かを判別する（ステップＳ１５）。例えば、投光部及び受光部を備えた光センサ（図示せず）、磁気に反応する金属と磁気センサ（図示せず）、パネル筐体３６を開くと突出し、パネル筐体３６を閉じると埋没するスイッチ（図示せず）等の何れかが電子カメラ２に設けられており、その検出結果に基づいてパネル筐体３６が収納されているか否かを判別する。ステップＳ１５においてパネル筐体３６が収納されていると判別された場合（ステップＳ１５、Ｙｅｓ）、即ちパネル筐体３６が図３（ｂ）に示す状態でなく図３（ａ）に示す状態である場合には、制御部５０は、パネル筐体３６を開くべき旨のメッセージ（例えば「放熱するため、液晶パネルを開いて下さい。」等のメッセージ）を液晶パネル３４に表示する（ステップＳ１６）。
【００２９】
なお、メッセージと共にまたはメッセージに代えて、パネル筐体３６を開くよう指示する画像や温度上昇警告マーク等を表示することもできる。このようにユーザーに対してパネル筐体３６を開くよう促し、ユーザーがメッセージ等に従いパネル筐体３６を開いた場合には、パネル筐体３６の外観表面積を増大させることができ、その結果、放熱効率を上げることができる。また、ステップＳ１６の処理と同時に、パネル筐体３６を開くべき旨のマーク等をファインダ３２にスーパーインポーズで表示することもできる。ファインダ３２へのマーク等の表示は、ユーザーがファインダ３２を覗いており、液晶パネル３４を視認していない場合に有効である。
【００３０】
次に、制御部５０は、動画像撮影モードから他のモードへ移行したか否かを判別し、動画像撮影モードから他のモードへ移行したと判別されるまで、ステップＳ１０〜Ｓ１６の処理を繰り返す。
【００３１】
この実施の形態に係る電子カメラ２によれば、まず第１温度に達したとき、動画像撮影に影響を及ぼさない可動部１６をポップアップさせることにより放熱効率を上げて、第１温度より高い第２温度に達したとき、外観表面積を大幅に増大させることができるパネル筐体３６を開かせることにより放熱効率を上げる。したがって、装置本体を大型化することなく、またコストを掛けることなく、撮像素子１８等の電子部品から発せられる熱を外気へと効率よく放出することができる。したがって、動画像撮影中に限界温度に達し、動画像撮影を強制的に終了させられることを抑制することができ、動画像撮影時間の長時間化を図ることができる。
【００３２】
なお、上述の実施の形態においては、制御部５０が可動部１６及びパネル筐体３６を開くべきであるか否かの判別結果に基づき、可動部１６及びパネル筐体３６の開閉に係る処理を制御しているが、この開閉に係る処理と共に、制御部５０が撮像素子１８及びＡＳＩＣ２４の少なくとも一方の処理負荷を低減させる構成にすることもできる。例えば、撮像素子１８から読み出される画素数、撮像素子１８のフレームレート（撮像素子１８から単位時間に読み出される撮像信号の数）等を低減させることにより、撮像素子１８やＡＳＩＣ２４の処理負荷を低減させることができる。この場合には、動画像の解像度等、画質が低下するが、限界温度に達するのを遅らせることができるため、動画像撮影時間を長くすることができる。
【００３３】
また、上述の実施の形態においては、動画像撮影モードに設定されている間、撮像素子１８等の温度を検出し、可動部１６等の開閉に係る処理を制御しているが、スルー画像が液晶パネル３４に表示されている間においても、同様の処理を実行してもよい。また、電子カメラ２の電源オフを指示する操作（図示しない電源スイッチの押下）がユーザーによりなされたときにおいても、電源オフを実行する前に、撮像素子１８等の温度を検出し、可動部１６等の開閉に係る処理を実行してもよい。具体的には、温度検出部５６により検出される温度が予め設定されている所定温度以上であるか否かを判別し、所定温度以上の場合には、可動部１６及びパネル筐体３６の少なくとも一方を開くための処理を実行する。例えば、所定温度以上の場合には、可動部１６を開くと共にパネル筐体３６を開く旨のメッセージ等を液晶パネル３４等に表示する。また例えば、第１温度以上の場合には可動部１６を開き、第２温度以上の場合には可動部１６を開くと共にパネル筐体３６を開く旨のメッセージ等を液晶パネル３４等に表示する。この場合には、次に電源カメラ２が電源オンされ、動画像撮影モードにおいて動画像を撮影する際に、長時間動画像を撮影することができる。即ち、動画像撮影を開始する時点での電子部品の温度（初期温度）に基づき限界温度に達するまでの時間が算出され、算出結果に基づき動画像撮影時間が設定される場合等、初期温度を低下させることができるため、限界温度に達するまでの時間が加算され、より長い時間の動画像撮影時間が設定される。
【００３４】
また、上述の実施の形態においては、温度検出部５６により第１温度まで上昇したと検出されたとき、可動部１６を開くべきであると判別し、温度検出部５６により第２温度まで上昇したと検出されたとき、パネル筐体３６を開くべきであると判別しているが、温度検出部５６により第１温度まで上昇したと検出されたとき、パネル筐体３６を開くべきであると判別し、温度検出部５６により第２温度まで上昇したと検出されたとき、可動部１６を開くべきであると判別する構成にしてもよい。また、温度検出部５６により第１温度または第２温度まで上昇したと検出されたとき、可動部１６及びパネル筐体３６を開くべきであると判別する構成にしてもよい。また、第１温度より高く、第２温度より低い第３温度を設定し、温度検出部５６により第３温度まで上昇したと検出されたとき、可動部１６及びパネル筐体３６を開くべきであると判別する構成にしてもよい。
【００３５】
また、上述の実施の形態においては、動画像の解像度に基づいて第１温度及び第２温度を設定しているが、所定時間間隔で温度検出部５６により検出される温度の温度上昇率を算出し、算出結果に基づいて第１温度及び第２温度を設定する構成にしてもよい。即ち、温度上昇率が大きい場合（例えば図７のグラフＡに示すような場合）には、第１温度及び第２温度を低い温度に設定し、温度上昇率が小さい場合（例えば図７のグラフＣに示すような場合）には、第１温度及び第２温度を高い温度に設定する。
【００３６】
また、上述の実施の形態においては、撮像素子１８の近傍に温度検出部５６を備えているが、撮像素子１８の近傍のみならずＡＳＩＣ２４やその他発熱する電子部品の近傍に温度検出部を備えることもできる。このように複数の温度検出部を備えた場合には、何れか一つの温度検出部により第１温度または第２温度まで上昇したと検出されると、制御部５０は、可動部１６やパネル筐体３６を開くべきであると判別する。また、複数の温度検出部により検出される温度の平均温度が第１温度または第２温度まで上昇したとき、可動部１６やパネル筐体３６を開くべきであると判別する構成にすることもできる。
【００３７】
また、上述の実施の形態においては、撮像素子１８の近傍に温度検出部５６を備え、撮像素子１８の温度を検出しているが、所定位置の温度検出部５６を備え、撮像素子１８やＡＳＩＣ２４等の発熱する各電子部品の温度を検出する構成にしてもよい。この場合には、所定位置に配置された温度検出部５６により検出される温度と各電子部品の温度との関係を予め実験等で求め、温度検出部５６により検出される温度に基づいて、各電子部品の温度を予測し、予測結果に基づいて可動部１６及びパネル筐体３６の開閉に係る処理を制御する。
【００３８】
また、上述の実施の形態においては、液晶パネル３４及びファインダ３２の両方にパネル筐体３６を開くべき旨のメッセージを表示しているが、電子カメラ２がファインダ３２を覗いているか否かを判別することができるアイセンサ等を備えている場合であって、アイセンサによりファインダ３２を覗いていると判別されたときには、液晶パネル３４を消灯し、メッセージをファインダ３２にのみ表示する構成にすることもできる。なお、アイセンサによりファインダ３２を覗いていないと判別されたときには、パネル筐体３６を開くべき旨のメッセージを液晶パネル３４にのみ表示、または該メッセージと共に、「液晶パネルを消灯します。ファインダを使用してください。」等のメッセージを数秒間表示した後、液晶パネル３４の表示動作を停止、即ち液晶パネル３４を消灯する構成にすることもできる。このように、液晶パネル３４を消灯させることにより、液晶パネル３４からの発熱による電子カメラ２の温度上昇を防止することができる。
【００３９】
また、上述の実施の形態においては、可動部１６を自動で開く場合について説明したが、可動部１６を自動で開く代わりに、可動部１６を開くべき旨のメッセージ（例えば「放熱するため、内蔵フラッシュを上げて下さい。」等のメッセージ）等を液晶パネル３４やファインダ３２に表示する構成にすることもできる。また、上述の実施の形態においては、パネル筐体３６を手動で開閉する場合について説明したが、例えばパネル筐体３６を開閉する駆動部を備え、パネル筐体３６を制御部５０の制御により自動で開閉する構成にすることもできる。この場合には、制御部５０は、パネル筐体３６を開くべきであると判別したとき、メッセージを表示する代わりに、駆動部を介してパネル筐体３６を開く。
【符号の説明】
【００４０】
２…電子カメラ、４…カメラ筐体、８…レリーズボタン、１０…撮影モードダイヤル、１４…フラッシュ筐体、１６…可動部、１８…撮像素子、２４…ＡＳＩＣ、２６…フレキシブル回路基板、３２…ファインダ、３４…液晶パネル、３６…パネル筐体、３８…回動部、５０…制御部、５４…アーム駆動部、５６…温度検出部。
【図１】
2012037791.tif 000003
【図２】
2012037791.tif 000004
【図３】
2012037791.tif 000005
【図４】
2012037791.tif 000006
【図５】
2012037791.tif 000007
【図６】
2012037791.tif 000008
【図７】
2012037791.tif 000009